(57)【要約】【課題】差動ペア回路を形成可能な高速信号伝送用の電気コネクタを提供することを課題とする。【解決手段】上段の第一端子２０−１と下段の第二端子３０−２で組端子を形成し、第一端子の接続部と第二端子の接続部が同一面上に位置して一列に配列され、一つの組端子２０−１，３０−２では、第一端子２０−１の接続部２２−１の端子幅方向中央位置が接触部に対して幅方向で一方の側に偏倚し、第二端子３０−２の接続部３２−２の端子幅方向中央位置が接触部に対して幅方向で他方の側に偏倚し、端子配列方向で一つの組端子に隣接する組端子２０−３，３０−４では、第一端子２０−３の接続部２２−３の端子幅方向中央位置が接触部に対して幅方向で他方の側に偏倚し第二端子３０−４の接続部３２−４の端子幅方向中央位置が接触部に対して幅方向で一方の側に偏倚している。【選択図】図１４
2014127421.tif 000002
【特許請求の範囲】
【請求項１】
帯状金属材をその板厚方向に屈曲してクランク状として相手端子に接触する接触部を一端側に、回路基板へ半田接続される接続部を他端側にそして該接触部を接続部に連結する連結部が中間位置に形成されている端子をハウジングで保持し、該端子の接触部と接続部とが互いに平行な面上に位置するようにして、端子が端子幅方向に複数配列されているコネクタであって、端子は連結部の長さが異なる第一端子の群と第二端子の群を有し、第二端子の連結部の方が第一端子の連結部より短く形成されていて、各第一端子の接触部と対応する第二端子の接触部がそれらの板面を平行として対面するように間隔をもって位置して配列されて接触部同士が対応して対面する第一端子と第二端子で組端子を形成し、第一端子の群の接続部と第二端子の群の接続部が同一面上に位置して一列に配列されている高速信号用電気コネクタにおいて、
一つの組端子では、第一端子の接続部の端子幅方向中央位置が該第一端子の接触部の幅方向中央位置に対して幅方向で一方の側に偏倚し、第二端子の接続部の端子幅方向中央位置が該第二端子の接触部の幅方向中央位置に対して幅方向で他方の側に偏倚し、さらに、端子配列方向で上記一つの組端子に隣接する組端子では、第一端子の接続部の端子幅方向中央位置が該第一端子の接触部の幅方向中央位置に対して幅方向で他方の側に偏倚し第二端子の接続部の端子幅方向中央位置が該第二端子の接触部の幅方向中央位置に対して幅方向で一方の側に偏倚していることを特徴とする高速信号用電気コネクタ。
【請求項２】
一つの組端子とこれに隣接する他の一つの組端子が、互いの第一端子の接触部同士もしくは互いの第二端子の接触部同士で高速信号伝送のための差動ペアを形成し、第一端子の接触部同士が差動ペアをなしている該第一端子の接続部同士が端子幅方向で互いに近接する側に偏倚しており、差動ペアをなしていない第一端子第二端子がグランド端子とされていることとする請求項１に記載の高速信号用電気コネクタ。
【発明の詳細な説明】
【技術分野】
【０００１】
本発明は、電気コネクタ、特に高速信号伝送用として好適な電気コネクタに関する。
【背景技術】
【０００２】
高速信号用電気コネクタでは、端子が帯状金属材をその板厚方向に屈曲して作られている場合、通常、信号端子の接触部に対し板面同士が対面するようにグランド端子の接触部が組をなすようにして配置されてハウジングで支持されている。
【０００３】
このようなコネクタとしては、特許文献１に開示されているものが知られている。この特許文献１に開示されているコネクタにあっては、端子（ターミナル）は二種有していて、一種の端子の圧入保持部に連続して一端側に形成されている接触部が上段に、そして他種の端子の圧入保持部に連続して一端側に形成されている接触部が下段に配置されていて、上下段の各接触部同士が組をなしていて、一組の端子の一方の端子を信号端子として他方をグランド端子として組端子をなすようにして使用可能である。
【０００４】
特許文献１では、上述の二種の端子は端子長手方向で中間部分が屈曲部をなし、他端側に形成されている接続部が回路基板面上で一列に配置されるようになっている。これらの二種の端子はそれぞれ接触部と屈曲部との間で側縁に斜部が形成されていて端子の幅を狭めて、上記一種の端子が幅方向で右方へそして上記他種の端子が左方へ偏倚していて、これによって、二種の端子の接続部を回路基板上で一列に配置されることを可能としている。
【０００５】
すなわち、特許文献１では、一種の端子のすべてがその接続部を接触部に対して幅方向右側に偏倚していて、他種の端子のすべてがその接続部を接触部に対して同方向で左側に偏倚している。
【先行技術文献】
【特許文献】
【０００６】
【特許文献１】特開２０００−０６７９６１
【発明の概要】
【発明が解決しようとする課題】
【０００７】
高速信号を伝送する場合に、一つの信号とこれを正負方向で反転させた信号とを近接させた二つの伝送路で伝送するいわゆる差動ペア回路が用いられることが多い。この回路の接続には、差動ペア端子をもつコネクタが用いられる。
【０００８】
回路としては、回路基板の面上等の一つの面上で二つの伝送路が近接して並設されるので、この回路基板の回路との接続に用いられるコネクタにおいても、差動ペア端子は、ハウジングに配列された複数の端子のうち、一つの面上で隣接する二つの端子が選定して用いられる。
【０００９】
この差動ペア端子は、例えば特許文献１のコネクタであるならば、上段と下段とで互いに対面する組端子ではなく、横方向で隣接している一対をなす二つの組端子のうち、同一平面上にあって端子幅方向で隣接した二つの接触部（上段同士もしくは下段同士の接触部）が差動ペア端子として用いられる。したがって、例えば、上段の位置で隣接する一対の組端子における二つの接触部をもつ端子同士で一つの差動ペア端子を形成した場合、この一対の組端子による差動ペア端子と隣接する他対の組端子による差動ペア端子との間には、グランド端子が介在していなくてはならないので、上段では上記一つの差動ペア端子に隣接する他対の組端子の接触部は差動ペア端子としては用いることができず、端子幅方向で上記一つの差動ペア端子に隣接する他の差動ペア端子は、下段に接触部が位置して互いに隣接する二つの端子で形成されることとなる。上段に接触部が位置する上記一つの差動ペア端子と下段に接触部が位置することとなる他の差動ペア端子における、互いに隣接する端子同士は、それらの接続部同士が互いに近寄る側で隣接して位置しているため、該接続部が回路基板と半田接続される場合、接続部では上記一つの差動ペア端子と上記他の差動ペア端子との間にグランド端子の接続部が存在していないこととなり、互いのクロストークを防止できず、したがって、特許文献１のコネクタは、差動ペア回路を形成するには不向きということになる。
【００１０】
本発明は、このような事情に鑑み、差動ペア回路を形成することが可能で高速信号伝送に好適な電気コネクタを提供することを課題とする。
【課題を解決するための手段】
【００１１】
本発明に係る電気コネクタは、帯状金属材をその板厚方向に屈曲してクランク状として相手端子に接触する接触部を一端側に、回路基板へ半田接続される接続部を他端側にそして該接触部を接続部に連結する連結部が中間位置に形成されている端子をハウジングで保持し、端子が端子幅方向に複数配列されているコネクタであって、端子は連結部の長さが異なる第一端子の群と第二端子の群を有し、第二端子の連結部の方が第一端子の連結部より短く形成されていて、各第一端子の接触部と対応する第二端子の接触部がそれらの板面を平行に間隔をもって位置して配列されて接触部同士が対応する第一端子と第二端子で組端子を形成し、第一端子の群の接続部と第二端子の群の接続部が同一面上に位置して配列されている。
【００１２】
かかるコネクタにおいて、本願発明では、一つの組端子では、第一端子の接続部の端子幅方向中央位置が該第一端子の接触部の幅方向中央位置に対して幅方向で一方の側に偏倚し、第二端子の接続部の端子幅方向中央位置が該第二端子の接触部の幅方向中央位置に対して幅方向で他方の側に偏倚し、さらに、端子配列方向で上記一つの組端子に隣接する組端子では、第一端子の接続部の端子幅方向中央位置が該第一端子の接触部の幅方向中央位置に対して幅方向で他方の側に偏倚し第二端子の接続部の端子幅方向中央位置が該第二端子の接触部の幅方向中央位置に対して幅方向で一方の側に偏倚していることを特徴としている。
【００１３】
このような構成の本発明の電気コネクタが高速信号伝送用として使用される場合には、組端子の一方の端子を信号端子、他方の端子をグランド端子とした状態で、一つの組端子とこれに隣接する他の一つの組端子で一対の組端子を形成し、この一対の組端子の第一端子（上段）同士が差動ペア端子として、そしてこれらの一対の組端子に対して互いに隣接するさらに他の一対の組端子の第二端子（下段）同士が差動ペア端子として使用される。かくして、上段では、第一端子同士が信号端子としての最初の一対の組端子で差動ペア端子を形成し、これに隣接して次の一対の組端子の第一端子がグランド端子となる。下段では、最初の差動ペア端子に対応して位置する第二端子がグランド端子を形成し、上記次の一対の組端子のうちグランド端子に対応する第一端子同士が信号端子としての差動ペア端子を形成する。
【００１４】
このようにして差動ペア端子を形成すると、回路基板の面上では、一対の組端子の上段の第一端子同士で形成される差動ペア端子の接続部と、隣接する他の一対の組端子の下段の端子同士で形成される隣接差動ペア端子の接続部との間には、上記上段の第一端子同士で形成される差動ペア端子にそれぞれ対応するグランド端子としての二つの第二端子のうちの一方の第二端子の接続部が存在するようになり、差動ペア同士間でのグランド特性が向上する。
【００１５】
本発明では、一つの組端子とこれに隣接する他の一つの組端子が、互いの第一端子の接触部同士もしくは互いの第二端子の接触部同士で高速信号伝送のための差動ペアを形成し、第一端子の接触部同士が差動ペアをなしている該第一端子の接続部同士が端子幅方向で互いに近接する側に偏倚しており、差動ペアをなしていない第一端子第二端子がグランド端子とされているようにすることができる。
【発明の効果】
【００１６】
以上のように、本発明では、帯状端子の板面同士が対面する組端子を有し、一つの組端子では、第一端子の接続部の端子幅方向中央位置が該第一端子の接触部の幅方向中央位置に対して幅方向で一方の側に偏倚し、第二端子の接続部の端子幅方向中央位置が該第二端子の接触部の幅方向中央位置に対して幅方向で他方の側に偏倚し、さらに、端子配列方向で上記一つの組端子に隣接する組端子では、第一端子の接続部の端子幅方向中央位置が該第一端子の接触部の幅方向中央位置に対して幅方向で他方の側に偏倚し第二端子の接続部の端子幅方向中央位置が該第二端子の接触部の幅方向中央位置に対して幅方向で一方の側に偏倚していることとしたので、一つの組端子とこれに隣接する他の一つの組端子による一対の組端子が、互いの第一端子の接触部同士で高速信号伝送のための差動ペアを形成し、次に隣接する他の一対の組端子の第二端子の接触部同士で他の差動ペアを形成した場合、上記第一端子による差動ペアは、回路基板上に位置する接続部において、隣接する第二端子による差動ペアとの間に、グランド端子が存在することとなり、差動ペアによる高速信号の伝送に好適となる。
【図面の簡単な説明】
【００１７】
【図１】本発明の実施形態に係るヘッダコネクタおよびレセプタクルコネクタの斜視図であり、（Ａ）はコネクタ嵌合接続前の状態、（Ｂ）はコネクタ嵌合接続後の状態を示している。
【図２】図１のヘッダコネクタおよびレセプタクルコネクタの端子配列方向における端子の位置での縦断面図であり、（Ａ）はコネクタ嵌合接続前の状態、（Ｂ）はコネクタ嵌合接続後の状態を示している。
【図３】（Ａ）は図２のヘッダコネクタを端子取付前の状態で示す図、（Ｂ）は図２のレセプタクルコネクタを端子取付前の状態で示す図である。（Ｃ）は図１のレセプタクルコネクタのレセプタクル側第一端子収容孔を前方側から見た拡大図である。
【図４】ヘッダコネクタに設けられるヘッダ側端子をヘッダ側ハウジングから抽出して示す斜視図であり、（Ａ）はヘッダ側第一端子のみを、（Ｂ）はヘッダ側第二端子のみを、（Ｃ）はヘッダ側第一端子およびヘッダ側第二端子の両方を配列状態で示している。
【図５】一つのヘッダ側端子の斜視図であり、（Ａ）はヘッダ側第一端子、（Ｂ）はヘッダ側第二端子を示している。
【図６】レセプタクルコネクタに設けられるレセプタクル側端子のみを抽出して示す斜視図であり、（Ａ）はレセプタクル側第一端子を、（Ｂ）はレセプタクル側第二端子を、（Ｃ）はレセプタクル側第一端子およびレセプタクル側第二端子の両方を配列状態で示している。
【図７】一つのレセプタクル側端子の斜視図であり、（Ａ）はレセプタクル側第一端子、（Ｂ）はレセプタクル側第二端子を示している。
【図８】ヘッダコネクタおよびレセプタクルコネクタのそれぞれに設けられる端子のみを抽出して示す側面図であり、（Ａ）はコネクタ嵌合接続前の状態、（Ｂ）はコネクタ嵌合接続後の状態を示している。
【図９】ヘッダ側第一端子およびレセプタクル側第一端子を示す斜視図であり、（Ａ）はコネクタ嵌合接続前の状態、（Ｂ）はコネクタ嵌合接続後の状態を示している。
【図１０】ヘッダ側第二端子およびレセプタクル側第二端子を示す斜視図であり、（Ａ）はコネクタ嵌合接続前の状態、（Ｂ）はコネクタ嵌合接続後の状態を示している。
【図１１】（Ａ）は図９（Ｂ）に示されるコネクタ嵌合接続状態でのヘッダ側第一端子およびレセプタクル側第一端子の底面図であり、（Ｂ）は図１０（Ｂ）に示されるコネクタ嵌合接続状態でのヘッダ側第二端子およびレセプタクル側第二端子の平面図である。
【図１２】（Ａ）、（Ｂ）、（Ｃ）はそれぞれ異なる変形例に係るレセプタクル側第一端子を示す斜視図である。
【図１３】本実施形態のコネクタの高速信号伝送用としての使用形態におけるヘッダコネクタの要部についての拡大斜視図である。
【図１４】図１３のヘッダコネクタの端子と回路基板のパッドとの接続位置関係を模式的に示す図である。
【図１５】従来のコネクタにおける図１３対応の図であり、（Ａ）は一接続関係、（Ｂ）は他の接続関係のもとに示されている。
【発明を実施するための形態】
【００１８】
以下、添付図面に基づいて本発明の実施形態を説明する。
【００１９】
図１は、互いに嵌合接続される、本実施形態に係るヘッダコネクタ１およびレセプタクルコネクタ２の外観を示す斜視図であり、（Ａ）はコネクタ嵌合接続前の状態、（Ｂ）はコネクタ嵌合接続後の状態を示している。図２は、図１のヘッダコネクタ１およびレセプタクルコネクタ２の端子配列方向における端子２０，３０の位置での縦断面図であり、（Ａ）はコネクタ嵌合接続前の状態、（Ｂ）はコネクタ嵌合接続後の状態を示している。
【００２０】
レセプタクルコネクタ２およびその相手接続体としてのヘッダコネクタ１は、高速信号伝送用のコネクタであり、異なる二つの回路基板（図示せず）の実装面上にそれぞれ配される回路基板用電気コネクタである。具体的には、上記二つの回路基板は同一平面内で端縁同士が互いに対向するようにして配置され、一方の回路基板の端縁寄り位置にヘッダコネクタ１が、そして他方の回路基板の端縁寄り位置にレセプタクルコネクタ２が実装される。ヘッダコネクタ１は、上記実装面に対して平行な一方向を挿抜方向としてレセプタクルコネクタ２と挿抜される。方向を明確にするために、本実施形態では、ヘッダコネクタ１がレセプタクルコネクタ２へ向かう方向を「前方」とする（図１での矢印Ａ）。そして、その逆方向を「後方」とする。
【００２１】
ヘッダコネクタ１は、電気絶縁材製のヘッダ側ハウジング１０と、前後方向に対して直角な方向を端子配列方向としてヘッダ側ハウジング１０に配列保持される相手端子としての複数のヘッダ側端子２０，３０（図２を参照）と、回路基板へのヘッダコネクタ１の固定のための複数の固定金具４０，５０とを備えている。ヘッダ側端子２０，３０は、図２（Ａ），（Ｂ）に見られるように、上下二段をなして配列されており、上段に配されるヘッダ側第一端子２０と、下段に配されるヘッダ側第二端子３０とから成る（図４（Ｃ）をも参照）。ヘッダ側端子２０，３０の詳細については後述する。
【００２２】
図１（Ａ）に見られるように、ヘッダ側ハウジング１０は、上記端子配列方向を長手方向として形成されており、本体部１１と、該本体部１１から前方へ向けて延びる嵌合部１２とを有している。該嵌合部１２は、コネクタ嵌合状態にて後述のレセプタクルコネクタ２のレセプタクル側受入部６６内に嵌入される部分である（図２（Ｂ）参照）。
【００２３】
図３（Ａ）に見られるように、ヘッダ側ハウジング１０は、前後方向での中間位置に端子保持壁部１７が形成されている。該端子保持壁部１７は、上下方向に延びて上壁１５と下壁１６とを連結するとともに、端子配列方向（図３（Ａ）にて紙面に対して直角な方向）に延びて二つの側端部１１Ａ（図１（Ａ）参照）同士を連結している。
【００２４】
図３（Ａ）は、図２のヘッダコネクタ１を端子取付前の状態で示す図である。図３（Ａ）に見られるように、ヘッダ側ハウジング１０は、端子配列方向での端子配列範囲にて、後述するヘッダ側端子２０，３０に設けられた腕部２１，３１を収容するヘッダ側腕収容部１３が、上下で二段をなし端子配列方向に配列形成されている。ヘッダ側腕収容部１３は、上段位置でヘッダ側第一端子２０の腕部２１を収容するヘッダ側第一腕収容部１３Ａと、下段位置でヘッダ側第二端子３０の腕部３１を収容するヘッダ側第二腕収容部１３Ｂとから成る。以下、ヘッダ側第一腕収容部１３Ａおよびヘッダ側第二腕収容部１３Ｂを総称して「ヘッダ側腕収容部１３Ａ，１３Ｂ」という。
【００２５】
上下方向では、ヘッダ側腕収容部１３Ａ，１３Ｂ同士が、ヘッダ側ハウジング１０の上下方向中央位置にて前後方向に延びて形成された中央壁部１４によって隔てられている。該中央壁部１４は、図３（Ａ）に見られるように、前後方向で本体部１１の範囲にわたって延びて形成されている。また、端子配列方向では、互いに隣接するヘッダ側第一腕収容部１３Ａ同士そしてヘッダ側第二腕収容部１３Ｂ同士が、端子配列方向に対して直角な面をもつ隔壁によって隔てられている。
【００２６】
ヘッダ側腕収容部１３Ａ，１３Ｂは、図３（Ａ）に見られるように、後述する中央壁部１４の後端から嵌合部１２の前端にわたって前後方向に延びて形成されている。ヘッダ側第一腕収容部１３Ａは、前後方向での端子保持壁部１７の範囲に形成された孔部１３Ａ−１と、該孔部１３Ａ−１より前方位置で嵌合部１２の範囲に形成された前方溝部１３Ａ−２とを有している。
【００２７】
孔部１３Ａ−１は、端子保持壁部１７を前後方向に貫通する孔部として形成されている。該孔部１３Ａ−１の内壁面（端子配列方向で互いに対向する対向内壁面）の上部には、該内壁面から没するとともに後方（図３（Ａ）にて左方）へ開放された側方凹部１３Ａ−１Ａが孔部１３Ａ−１の一部として形成されている。前方溝部１３Ａ−２は、上壁１５の下面で後述のヘッダ側受入部１９へ向け下方に開口し前後方向に延びる溝部として形成されている。後述するように、孔部１３Ａ−１、前方溝部１３Ａ−２は、それぞれヘッダ側第一端子２０の腕部２１の被保持部２１Ｂ、接触部２１Ｃを収容する（図２（Ａ）参照）。
【００２８】
下段に位置するヘッダ側第二腕収容部１３Ｂは、中央壁部１４に対してヘッダ側第一腕収容部１３Ａと上下対称な形状をなしている。つまり、ヘッダ側第二腕収容部１３Ｂは、図３（Ａ）に見られるように、孔部１３Ｂ−１と前方溝部１３Ｂ−２とから成っている。また、孔部１３Ｂ−１は、側方凹部１３Ｂ−１Ａを有している。後述するように、孔部１３Ｂ−１、前方溝部１３Ｂ−２は、それぞれヘッダ側第二端子３０の腕部３１の被保持部３１Ｂ、接触部３１Ｃを収容する（図２（Ａ）参照）。
【００２９】
また、ヘッダ側ハウジング１０は、図３（Ａ）に見られるように、端子配列方向に対して直角な方向（紙面に対して平行な方向）での断面形状が略横Ｕ字状をなす凹部１８が形成されている。該凹部１８は、端子配列方向で端子配列範囲にわたって延びているととともに後方へ開放されている。該凹部１８は、上段位置でヘッダ側第一腕収容部１３Ａに連通する後方第一凹部１８Ａと、下段位置でヘッダ側第二腕収容部１３Ｂに連通する後方第二凹部１８Ｂ（以下、「後方第一凹部１８Ａ」および「後方第二凹部１８Ｂ」を総称して「後方凹部１８Ａ，１８Ｂ」という）と，後方凹部１８Ａ，１８Ｂよりも後方位置で上下方向に延び両者を連通させる連通部１８Ｃとを有している。
【００３０】
後方第一凹部１８Ａは、端子保持壁部１７よりも後方（図３（Ｂ）にて左方）で、上段位置、すなわち上壁１５と中央壁部１４の間に形成されており、孔部１３Ａ−１と連通している。後方第二凹部１８Ｂは、端子保持壁部１７よりも後方で、下段位置、すなわち下壁１６と中央壁部１４の間に形成されており、孔部１３Ｂ−１と連通している。図２（Ａ），に見られるように、後方凹部１８Ａ，１８Ｂは、それぞれヘッダ側端子２０，３０の基部２１Ａ，３１Ａを収容する。
【００３１】
図３（Ａ）に見られるように、中央壁部１４の後端は上壁１５の後端よりも前方に位置しており、また、下壁１６の後端は中央壁部１４の後端よりも前方に位置している。このようにすることで、連通部１８Ｃは、上下方向に延びて後方凹部１８Ａ，１８Ｂ同士を連通させているとともに、下方そして後方に開放されている。後述するように、連通部１８Ｃはヘッダ側端子２０，３０のそれぞれの連結部２３，３３を収容する（図２（Ａ）参照）。
【００３２】
中央壁部１４の後端には、端子配列方向でのヘッダ側端子２０，３０と対応する位置で没した溝部１４Ａが形成されている。該溝部１４Ａには、後述するヘッダ側第一端子２０の連結部２３の一部（上下方向に延びる部分の上部）が収容されるようになっている（図２（Ａ）参照）。また、下壁１６の後端にも、端子配列方向でのヘッダ側端子２０，３０と対応する位置で没した溝部１６Ａが形成されている。該溝部１６Ａには、後述するヘッダ側第二端子３０の連結部３３の移行部３３Ａ一部（上下方向に延びる部分）が収容される（図２（Ａ）参照）。
【００３３】
図１（Ａ），（Ｂ）に見られるように、端子配列方向での本体部１１は、その両端側部分、換言すると、端子配列範囲外に位置する側端部１１Ａは、端子配列範囲に位置する部分の後端面よりも後方へ延出している。各側端部１１Ａには、外側固定金具４０を保持するための外側固定金具保持溝１１Ａ−１が、端子配列方向に対して直角な方向に拡がるスリット状をなして前後方向に延びて形成されている。また、ヘッダ側ハウジング１０には、端子配列方向での端子配列範囲と側端部１１Ａとの境界位置に、内側固定金具５０を保持するための内側固定金具保持溝１０Ａが外側固定金具保持溝１１Ａ−１に対して平行なスリット状をなして前後方向に延びて形成されている。以下、外側固定金具保持溝１１Ａ−１および内側固定金具保持溝１０Ａを総称して「固定金具保持溝１１Ａ−１，１０Ａ」といい、外側固定金具４０および内側固定金具５０を総称して「固定金具４０，５０」という。固定金具保持溝１１Ａ−１，１０Ａは、後方そして下方に開放されている。
【００３４】
嵌合部１２は、端子配列方向で端子配列範囲を含む範囲にわたり同方向で側端部１１Ａの側面よりも内方に位置するように形成されており、前方から見て四角枠状をなしている。図３（Ａ）によく見られるように、嵌合部１２の上面および下面は、それぞれ本体部１１の上面より下方そして下面より上方に位置しており、嵌合部１２は本体部１１よりも上下方向寸法の小さい薄い外形をなしている。嵌合部１２は、コネクタ嵌合状態にて、レセプタクルコネクタ２のレセプタクル側受入部内に進入する。端子配列方向での嵌合部１２の両端部には、該嵌合部１２をレセプタクル側受入部内へ案内するためのテーパ付案内突部１２Ａが前方へ向けて突出して形成されている。
【００３５】
また、嵌合部１２によって囲まれ前方へ向けて開口する内部空間は、コネクタ嵌合状態にて後述するレセプタクルコネクタ２の突壁部を受け入れるためのヘッダ側受入部１９として形成されている。図３（Ａ）に見られるように、ヘッダ側受入部１９は、その後端側で孔部１３Ａ−１，１３Ｂ−１と連通している。
【００３６】
図４は、ヘッダコネクタ１に設けられるヘッダ側端子２０，３０をヘッダ側ハウジング１０から抽出して示す斜視図であり、（Ａ）はヘッダ側第一端子２０のみを、（Ｂ）はヘッダ側第二端子３０のみを、（Ｃ）はヘッダ側第一端子２０およびヘッダ側第二端子３０の両方を配列状態で示している。この図４（Ａ）〜（Ｃ）では、複数のヘッダ側端子２０，３０のうち一部の端子（一点鎖線で示される範囲に位置すべき端子）の図示が省略されている。
【００３７】
ヘッダ側端子２０，３０は、帯状金属材をその板厚方向でクランク状に屈曲して作られており、後述するように、レセプタクル側第一端子に接触するための接触部２１Ｃを前端側となる一端側に、回路基板の対応回路部に半田接続される接続部２２を後端側となる他端側に有している。該ヘッダ側端子２０，３０のそれぞれの群は、図４（Ａ），（Ｂ）に見られるように、接続部２２，３２を含む後端側部分の形状が互いに異なる二種類の端子から成っており、端子幅方向が端子配列方向に一致する姿勢で、上記二種類の端子が交互に配列されている。
【００３８】
図５は、一つのヘッダ側端子２０，３０を拡大して示す斜視図であり、（Ａ）はヘッダ側第一端子２０、（Ｂ）はヘッダ側第二端子３０を示している。図５（Ａ）に見られるように、ヘッダ側第一端子２０は、前後方向に延びる腕部２１と、該腕部２１よりも下方位置で上記前後方向に延びる接続部２２と、上下方向に延び腕部２１の後端と接続部２２の前端とを連結する連結部２３とを有している。
【００３９】
図５（Ａ）によく見られるように、腕部２１は、該腕部２１の後端側に位置する基部２１Ａと、該基部２１Ａに連続して前方へ延び該基部２１Ａよりも若干幅の狭い被保持部２１Ｂと、該被保持部２１Ｂに連続してさらに前方へ延びる対応接触部としての接触部２１Ｃとを有している。腕部２１は、基部２１Ａと被保持部２１Ｂとの境界位置で板厚方向に屈曲されてクランク状をなしており、被保持部２１Ｂおよび接触部２１Ｃが基部２１Ａよりも上方に位置している（図３（Ａ）をも参照）。被保持部２１Ｂは、ヘッダ側第一腕収容部１３Ａの孔部１３Ａ−１の側方凹部１３Ａ−１Ａへの圧入のための被保持突部２１Ｂ−１が、被保持部２１Ｂの両側縁から端子幅方向に突出して形成されている（図２（Ａ）をも参照）。また、接触部２１Ｃは、後述するように、その下面でレセプタクル側第一端子７０の接触部７１Ａ−３Ａと接触可能となっている。
【００４０】
接続部２２は、連結部２３の下部に形成された後述の移行部２３Ａから延びてヘッダ側第一端子２０の後端部をなしており、図２（Ａ）に見られるように、後方へ向けてヘッダ側ハウジング１０外へ延出している。接続部２２の下面はヘッダ側ハウジング１０の底面と同じ高さに位置しており、これによって、接続部２２が回路基板の対応回路部に半田接続可能となっている。連結部２３は、その下部で接続部２２へ移行する移行部２３Ａがクランク状に屈曲していて、後述のヘッダ側第二端子３０の連結部３３の移行部３３Ａと干渉しないようになっている（図２（Ａ）参照）。
【００４１】
既述したように、ヘッダ側第一端子２０の端子群は、接続部２２を含む後端側部分の形状が異なる二種類のヘッダ側第一端子２０から成っており、各種のヘッダ側第一端子２０が交互に配列されている。これらの二種類のヘッダ側第一端子２０は、連結部２３の移行部２３Ａそして接続部２２を除き、同じ形状をなしている。図４（Ａ）に見られるように、まず、一種のヘッダ側第一端子２０の移行部２３Ａは、接続部２２側へ向かうにつれて端子幅方向で一方の側（例えば、図４（Ａ）にて右下方側）へ偏るような先細り形状をなしている。また、他種のヘッダ側第一端子２０の移行部２３Ａは、接続部２２へ向かうにつれて端子幅方向で他方の側（例えば、図４（Ａ）にて左上方側）へ偏るような先細り形状をなしている。
【００４２】
連結部２３の移行部２３Ａが上述したような先細り形状で形成される結果、上記一種のヘッダ側第一端子２０では、接続部２２の端子幅方向中央位置が接触部２１Ｃの端子幅方向中央位置に対して端子幅方向で上記一方の側に偏倚する。また、上記他種のヘッダ側第一端子２０では、接続部２２の端子幅方向中央位置が接触部２１Ｃの端子幅方向中央位置に対して端子幅方向で上記他方の側に偏倚する。したがって、図４（Ａ）に見られるように、上記一種のヘッダ側第一端子２０と、該一種のヘッダ側第一端子２０に対して上記一方の側で隣接する他種のヘッダ側第一端子２０とは、接続部２２同士が端子幅方向で互いに近接する側に偏倚している。また、上記一種のヘッダ側第一端子２０と、該一種のヘッダ側第一端子２０に対して上記他方の側で隣接する他種のヘッダ側第一端子２０とは、接続部２２同士が端子幅方向で互いに離間する側に偏倚している。本実施形態では、互いに近接する側に偏倚する接続部２２を有する一種および他種のヘッダ側第一端子２０は、それらの接触部２１Ｃ同士で高速信号伝送のための作動ペアを形成するのに好適な形状をなしている。
【００４３】
下段に配されるヘッダ側第二端子３０は、図４（Ｂ）に示されるように、連結部３３がヘッダ側第一端子２０の連結部２３よりも短くなっている点を除き、ヘッダ側第一端子２０と基本的な形状が同じである。本実施形態では、ヘッダ側第一端子２０と対応する部分については、該ヘッダ側第一端子２０での符号に「１０」を加えた符号を付している。
【００４４】
図４（Ｃ）に見られるように、ヘッダ側第一端子２０とヘッダ側第二端子３０とは、各端子同士が端子配列方向で同位置に設けられており、この同位置で上下段をなしているヘッダ側第一端子２０とヘッダ側第二端子３０とが組端子を形成している。図２（Ａ）に示されるように、上記組端子をなすヘッダ側端子２０，３０の腕部２１，３１は、板面同士が互いに平行をなすようにして上下に位置している。すなわち、腕部３１が腕部２１と間隔をもって該腕部２１よりも下方に位置している。本実施形態では、既述したように、上記組端子をなすヘッダ側端子２０，３０の接続部２２，３２および移行部２３Ａ，３３Ａは、端子配列方向にて互いに逆方向に偏倚しているので、上下方向そして前後方向において同位置に近接させることが可能となっている。また、上記組端子をなすヘッダ側端子２０，３０の連結部２３，３３（移行部２３Ａ，３３Ａを除く）は、板面同士が互いに平行となっており、連結部３３が連結部２３と間隔をもって該連結部２３よりも前方に位置している。
【００４５】
本実施形態では、ヘッダ側端子２０，３０の接続部２２，３２は、図４（Ｃ）に見られるように、互いに前後方向で同位置に配されていて、端子配列方向で一列をなして配列されているが、該接続部２２，３２の相対位置はこれに限られない。例えば、ヘッダ側端子２０，３０の移行部２３Ａ，３３Ａのうちいずれか一方を他方よりも前方へ延ばして形成することにより、接続部２２，３２が前後方向に互いにずれて千鳥状に位置するようにしてもよい。
【００４６】
ヘッダ側端子２０，３０は、次の要領でヘッダ側ハウジング１０に取り付けられる。まず、ヘッダ側第二端子３０の腕部３１をヘッダ側ハウジング１０のヘッダ側第二腕収容部１３Ｂ内へ後方から圧入する。この結果、ヘッダ側第二端子３０の被保持部３１Ｂの被保持突部３１Ｂ−１が、ヘッダ側第二腕収容部１３Ｂに形成された孔部１３Ｂ−１の側方凹部１３Ａ−１Ａの内壁面（端子配列方向に対して直角な面）に喰い込んで、ヘッダ側第二端子３０がヘッダ側ハウジング１０に保持される。
【００４７】
このように、ヘッダ側第二端子３０が保持された状態においては、腕部３１の基部３１Ａは後方第二凹部１８Ｂ内に、被保持部３１Ｂが孔部１３Ｂ−１内に、対応接触部としての接触部３１Ｃが前方溝部１３Ｂ−２内に位置する。このとき、接触部３１Ｃは、その上面がヘッダ側受入部１９へ露呈しており、該上面でレセプタクル側第二端子８０の接触部８１Ｂ−３Ａと接触可能に位置している。また、連結部３３の一部（上下方向に延びる部分）は下壁１６の溝部１６Ａ内に収容される。連結部３３の残部（前後方向に延びる部分）は、図２（Ａ）に見られるように、ヘッダ側ハウジング１０外に位置する。
【００４８】
次に、ヘッダ側第一端子２０の腕部２１をヘッダ側ハウジング１０のヘッダ側第一腕収容部１３Ａ内へ後方から圧入する。そして、ヘッダ側第一端子２０の被保持部２１Ｂの被保持突部２１Ｂ−１が、ヘッダ側第一腕収容部１３Ａの孔部１３Ａ−１の側方凹部１３Ａ−１Ａの内壁面（端子配列方向に対して直角な面）に喰い込んで、ヘッダ側第一端子２０がヘッダ側ハウジング１０に保持される。
【００４９】
ヘッダ側第一端子２０が保持された状態においては、腕部２１の基部２１Ａは後方第一凹部１８Ａ内に、被保持部２１Ｂが孔部１３Ａ−１内に、接触部２１Ｃが前方溝部１３Ａ−２内に位置する。このとき、接触部２１Ｃは、その下面がヘッダ側受入部１９へ露呈しており、該下面でレセプタクル側第一端子７０の接触部７１Ａ−３Ａと接触可能に位置している。また、連結部２３は、図２（Ａ）に見られるように、中央壁部１４の溝部１４Ａおよび連通部１８Ｃ内に収容される。
【００５０】
上述したように、ヘッダ側第一端子２０の圧入はヘッダ側第二端子３０の圧入の後に行われるので、ヘッダ側第一端子２０の圧入過程にて、該ヘッダ側第一端子２０の連結部２３がヘッダ側第二端子３０の連結部３３に干渉することはない。
【００５１】
ヘッダ側端子２０，３０がヘッダ側ハウジング１０に保持された状態では、図４（Ｃ）に見られるように、ヘッダ側第一端子２０の群において接触部２１Ｃ同士が端子幅方向で互いに隣接して差動ペアを形成する二つのヘッダ側第一端子２０の接続部２２同士、すなわち互いに近接して位置する二つの接続部２２は、ヘッダ側第二端子３０の群に接触部３１Ｃ同士が端子幅方向で互いに隣接してはいるが差動ペアを形成していないヘッダ側第二端子３０の接続部３２同士間、すなわち互いに離間して位置する二つの接続部３２同士間に位置する。
【００５２】
固定金具４０，５０は、金属板部材を打ち抜いて作られている。該固定金具４０，５０は、それぞれヘッダ側ハウジング１０の固定金具保持溝１１Ａ−１，１０Ａ内へ後方から圧入されて保持される被保持部（図示せず）と、該被保持部から下方へ延びて固定金具保持溝１１Ａ−１，１０Ａ外に下方へ延出し回路基板に固定される脚状の固定部４１，５１とを有している。該固定部４１，５１は、ヘッダコネクタ１が回路基板上に配された状態で、該回路基板に貫通形成された固定孔部（図示せず）へ挿通され、該回路基板と半田接続されることにより、該回路基板に固定されるようになっている。
【００５３】
次に、レセプタクルコネクタ２の構成を説明する。図１に見られるように、レセプタクルコネクタ２は、電気絶縁材製のレセプタクル側ハウジング６０と、前後方向に対して直角な方向を端子配列方向としてレセプタクル側ハウジング６０に配列保持される複数のレセプタクル側端子７０，８０（図２（Ａ）を参照）と、回路基板へのレセプタクルコネクタ２の固定のための複数の固定金具９０，１００（固定金具１００については図２（Ａ），（Ｂ）を参照）とを備えている。レセプタクル側端子７０，８０は、図２（Ａ）に見られるように、上下二段をなして配列されており、上段に配されるレセプタクル側第一端子７０と、下段に配されるレセプタクル側第二端子８０とから成る（図６（Ｃ）をも参照）。レセプタクル側端子７０，８０の詳細については後述する。
【００５４】
図１（Ａ）に見られるように、レセプタクル側ハウジング６０は、上記端子配列方向を長手方向とする略直方体外形をなしている。図３（Ｂ）に見られるように、レセプタクル側ハウジング６０は、前後方向での中間位置に端子保持壁部６４が形成されている。該端子保持壁部６４は、上下方向に延びて上壁６１と下壁６２とを連結するとともに、端子配列方向（図３（Ｂ）にて紙面に対して直角な方向）に延びて二つの側壁６３（図１（Ａ）参照）同士を連結している。また、レセプタクル側ハウジング６０は、端子保持壁部６４から後方（図１（Ａ）にて左下方向（矢印Ａと反対方向）、図２（Ａ）にて左方）へ向けて突出し端子配列方向で端子配列範囲にわたって延びる突壁部６５が形成されている。前後方向にて突壁部６５に対応する範囲では、該突壁部６５と、上壁６１、下壁６２および二つの側壁６３から成る周壁との間で後方へ向けて開放された空間が、上記矢印Ａの方向に見たときに環状をなしている。この環状の空間は、コネクタ嵌合状態でヘッダコネクタ１の嵌合部１２を受け入れるためのレセプタクル側受入部６６として形成されている。
【００５５】
図３（Ｂ）に見られるように、レセプタクル側ハウジング６０は、後述するレセプタクル側端子７０，８０に設けられた腕部７１，８１を収容するレセプタクル側腕収容部６７が上下で二段をなし端子配列方向に配列形成されている。レセプタクル側腕収容部６７は、上段位置でレセプタクル側第一端子７０の腕部７１を収容するレセプタクル側第一腕収容部６７Ａと、下段位置でレセプタクル側第二端子８０の腕部８１を収容するレセプタクル側第二腕収容部６７Ｂとから成る。以下、レセプタクル側第一腕収容部６７Ａおよびレセプタクル側第二腕収容部６７Ｂを総称して「レセプタクル側腕収容部６７Ａ，６７Ｂ」という。
【００５６】
レセプタクル側腕収容部６７Ａ，６７Ｂは、前後方向で端子保持壁部６４および突壁部６５の範囲にわたっており、前後方向に貫通して形成されている。上下方向では、レセプタクル側腕収容部６７Ａ，６７Ｂ同士が、レセプタクル側ハウジング６０の上下方向中央位置で前後方向に延びて形成された中央壁部６９によって隔てられている。該中央壁部６９は、図３（Ｂ）に見られるように、前後方向でレセプタクル側ハウジング６０のほぼ全域にわたって延びて形成されている。また、端子配列方向では、互いに隣接するレセプタクル側第一腕収容部６７Ａ同士そしてレセプタクル側第二腕収容部６７Ｂ同士が、端子配列方向に対して直角な面をもつ隔壁によって隔てられている。
【００５７】
レセプタクル側第一腕収容部６７Ａは、図３（Ｂ）に見られるように、前後方向での突壁部６５の範囲では、中央壁部６９の上面でレセプタクル側受入部６６へ向け上方に開口し前後方向に延びる溝部６７Ａ−１として形成され、端子保持壁部６４の範囲では、前後方向に貫通する孔部６７Ａ−２として形成されている。また、孔部６７Ａ−２の内壁面（端子配列方向で互いに対向する対向内壁面）の上下方向での中間位置には、該内壁面から没するとともに前方（図３（Ｂ）にて右方）へ開放された側方凹部６７Ａ−２Ａが孔部６７Ａ−２の一部として形成されている。該側方凹部６７Ａ−２Ａの後端面６７Ａ−２Ｂ（図３（Ａ）にて左端面）は、前方へ向かうにつれて側方凹部６７Ａ−２Ａの内側面（端子配列方向に対して直角な面）側へ傾斜する傾斜面として形成されている。後述するように、側方凹部６７Ａ−２Ａは、レセプタクル側第一端子７０の腕部７１の基部７１Ａ−１，７１Ｂ−１を収容する。下段に位置するレセプタクル側第二腕収容部６７Ｂは、中央壁部６９に対してレセプタクル側第一腕収容部６７Ａと上下対称な形状をなしている。
【００５８】
また、レセプタクル側ハウジング６０は、図３（Ｂ）に見られるように、レセプタクル側第一腕収容部６７Ａの前方（図３（Ｂ）にて右方）位置で該レセプタクル側第一腕収容部６７Ａに連通する前方第一凹部６８Ａと、レセプタクル側第二腕収容部６７Ｂの前方位置で該レセプタクル側第二腕収容部６７Ｂに連通する前方第二凹部６８Ｂが形成されている。以下、前方第一凹部６８Ａおよび前方第二凹部６８Ｂを総称して「前方凹部６８」という。前方凹部６８は、端子配列方向で端子配列範囲にわたって延びてレセプタクル側腕収容部６７Ａに連通していとともに前方へ開放されている。上下に位置する前方凹部６８Ａ，６８Ｂ同士は、両者間に設けられた中央壁部６９によって上下方向で隔てられている。また、図３（Ｂ）に見られるように、下壁６２の前端（右端）は、上壁６１および中央壁部６９の前端よりも後方に位置しており、この結果、前方第二凹部６８Ｂは前方のみならず下方にも開放されている。
【００５９】
中央壁部６９の前端には、端子配列方向でのレセプタクル側端子７０，８０と対応する位置で没した溝部６９Ａが形成されている。該溝部６９Ａには、後述するレセプタクル側第一端子７０の連結部７３の一部（上下方向に延びる縦部７３Ｂの上部）が収容されるようになっている（図２（Ａ）参照）。また、下壁６２は、端子配列方向でのレセプタクル側端子７０，８０と対応する位置にて、該下壁６２の前面および下面に沿って没した溝部６２Ａが形成されている。該溝部６２Ａには、後述するレセプタクル側第二端子８０の連結部８３の一部（縦部８３Ｂおよび下横部８３Ｃ）が収容される（図２（Ａ）参照）。
【００６０】
図１（Ａ）に見られるように、レセプタクル側ハウジング６０の側壁６３の内面には、外側固定金具９０を保持するための外側固定金具保持溝６３Ａが、端子配列方向に対して直角な方向に拡がるとともに前後方向に延びて形成されている。また、図１（Ａ）に見られるように、レセプタクル側ハウジング６０には、端子配列方向での突壁部６５の側端面に、内側固定金具１００を保持するための内側固定金具保持溝６０Ａが、端子配列方向に対して直角な方向に拡がるとともに前後方向に延びて形成されている。以下、外側固定金具保持溝６３Ａおよび内側固定金具保持溝６０Ａを総称して「固定金具保持溝６３Ａ，６０Ａ」といい、外側固定金具９０および内側固定金具１００を総称して「固定金具９０，１００」という。固定金具保持溝６３Ａ，６０Ａは、前方そして下方に開放されている。
【００６１】
図６は、レセプタクルコネクタに設けられるレセプタクル側端子７０，８０をレセプタクル側ハウジング６０から抽出して示す斜視図であり、（Ａ）はレセプタクル側第一端子７０のみを、（Ｂ）はレセプタクル側第二端子８０のみを、（Ｃ）はレセプタクル側第一端子７０およびレセプタクル側第二端子８０の両方を配列状態で示している。この図６（Ａ）〜（Ｃ）では、複数のレセプタクル側端子７０，８０のうち一部の端子（一点鎖線で示される範囲に位置すべき端子）の図示が省略されている。該レセプタクル側端子７０，８０のそれぞれの群は、図６（Ａ），（Ｂ）に見られるように、全ての端子が同形状をなしており、端子幅方向が端子配列方向に一致する姿勢で配列されている。
【００６２】
図７は、図６（Ａ），（Ｂ）に示された複数のレセプタクル側端子７０，８０のうちの一つを拡大して示す斜視図であり、（Ａ）はレセプタクル側第一端子７０、（Ｂ）はレセプタクル側第二端子８０を示している。レセプタクル側端子７０，８０は、それぞれ金属板（帯状）部材をその板厚方向に折り曲げて一部材として作られている。図７（Ａ）によく見られるように、レセプタクル側第一端子７０は、前後方向に延びる後述の短腕部７１Ａと長腕部７１Ｂから成る腕部７１と、該腕部７１よりも下方位置で上記前後方向に延びる接続部７２と、端子幅方向に見て略逆Ｌ字形状をなすように屈曲され腕部７１の前端と接続部７２の後端とを連結する連結部７３（例えば図３（Ｂ）をも参照）とを有している。
【００６３】
図７（Ａ）に見られるように、腕部７１は、端子幅方向で互いに対面する板面をもって互いに分離して前後方向に延びている。この腕部７１は、短腕部７１Ａと、該短腕部７１Ａよりも前後方向に若干長い長腕部７１Ｂとを有している。以下、短腕部７１Ａおよび長腕部７１Ｂを総称して「腕部７１Ａ，７１Ｂ」という。図７（Ａ）に見られるように、これら二つの腕部７１Ａ，７１Ｂの前端（図７（Ａ）にて右上端）は、互いに同位置にあるが、後端（図７（Ａ）にて左下端となる自由端）は、長腕部７１Ｂの後端が短腕部７１Ａの後端よりも若干後方へ位置している。
【００６４】
腕部７１Ａ，７１Ｂは、前端側に位置する基部７１Ａ−１，７１Ｂ−１と、基部７１Ａ−１，７１Ｂ−１に連続して後方へ向けて延びる移行部７１Ａ−２，７１Ｂ−２と、該移行部７１Ａ−２，７１Ｂ−２に連続してさらに後方へ向けて延びる弾性腕部７１Ａ−３，７１Ｂ−３とを有している。該弾性腕部７１Ａ−３，７１Ｂ−３は、その板面同士が対面していて、該板面を含む面内で互いに独立して上下方向に弾性変位可能となっている。
【００６５】
腕部７１Ａ，７１Ｂの基部７１Ａ−１，７１Ｂ−１は板面同士が端子幅方向で所定の間隔をもって対面している（図３（Ｃ）をも参照）。基部７１Ａ−１，７１Ｂ−１は、レセプタクル側第一腕収容部６７Ａへの圧入のための該被保持突部７１Ａ−１Ａ，７１Ｂ−１Ａが、基部７１Ａ−１，７１Ｂ−１の上縁に突出形成されている。短腕部７１Ａの移行部７１Ａ−２は、後方へ向かうにつれて長腕部７１Ｂへ徐々に近づくように、腕部７１Ａを板厚方向に屈曲して形成されている。一方、長腕部７１Ｂの移行部７１Ｂ−２は、移行部７１Ａ−２よりも後方に位置しており、後方へ向かうにつれて短腕部７１Ａへ徐々に近づくように、長腕部７１Ｂを板厚方向に屈曲して形成されている。この結果、弾性腕部７１Ａ−３，７１Ｂ−３は、基部７１Ａ−１，７１Ｂ−１同士の間隔よりも狭い間隔で板面同士が互いに近接して対面している。弾性腕部７１Ａ−３，７１Ｂ−３は、コネクタ嵌合接続状態にて、ヘッダ側第一端子２０の接触部２１Ｃの端子幅方向での範囲内に位置する程度に近接している（図１１（Ａ）参照）。弾性腕部７１Ａ−３，７１Ｂ−３の板面同士を近接させることにより、後述するように、レセプタクル側第一端子７０におけるインピーダンス特性を向上させている。
【００６６】
弾性腕部７１Ａ−３は、図２（Ａ）に示されるように、端子幅方向に見て、後方（図２（Ａ）にて左方）へ向かうにつれて、移行部７１Ａ−２寄りの範囲では下方へ向けて傾斜し、中間範囲では上方へ向けて傾斜し、後端（自由端）寄りの範囲では下方へ向けて傾斜している。上記中間範囲と上記後端寄り範囲との境界で上方へ向けて凸状をなして屈曲されている部分は、ヘッダ側第一端子２０の接触部２１Ｃと接触するための接触部７１Ａ−３Ａとして形成されている。後述するように、該接触部７１Ａ−３Ａは、その板厚面（板面に対して直角な面）である上側縁面で、ヘッダ側第一端子２０の接触部２１Ｃの下側板面に接圧をもって接触するようになっている。
【００６７】
長腕部７１Ｂは、基部７１Ｂ−１が短腕部７１Ａの基部７１Ａ−１よりも長くなっているが、移行部７１Ｂ−２そして弾性腕部７１Ｂ−３は、短腕部７１Ａの移行部７１Ａ−２そして弾性腕部７１Ａ−３とそれぞれ同じ長さである（図１１（Ａ）参照）。つまり、長腕部７１Ｂの全長は、上記基部７１Ｂ−１が長く形成されている分だけ、短腕部７１Ａの全長よりも長くなっている。また、移行部７１Ｂ−２および接触部７１Ｂ−３Ａは、短腕部７１Ａの移行部７１Ａ−２そして接触部７１Ａ−３Ａよりも後方に位置しているが、形状自体は移行部７１Ａ−２そして接触部７１Ａ−３Ａと同じである。
【００６８】
接続部７２は、図２（Ａ）に見られるように、レセプタクル側ハウジング６０の前端側に位置している。該接続部７２は、レセプタクル側ハウジング６０の底面に沿うように、連結部７３の下部で直角に屈曲されて前方へ延びており、回路基板の対応回路部（図示せず）に半田接続可能となっている。
【００６９】
連結部７３は、既述したように逆Ｌ字形状をなすように屈曲されており、前後方向に延びる横部７３Ａと上下方向に延びる縦部７３Ｂとを有している。横部７３Ａの後端側部分は幅が狭くなっており、該後端側部分の両側縁が腕部７１Ａ，７１Ｂの基部７１Ａ−１，７１Ｂ−１の前半部の下縁のそれぞれに連結されている。換言すると、短腕部７１Ａと長腕部７１Ｂとは横部７３Ａの上記後端側部分を介して互いに連結されている。縦部７３Ｂは、その下端部の幅が狭くなっており、接続部７２に連結されている。
【００７０】
本実施形態では、基部７１Ａ−１，７１Ｂ−１同士間に所定の間隔が設けられており、前方から見たときに、該基部７１Ａ−１，７１Ｂ−１の前半部と横部７３Ａの後端側部分とでＵ字状部分をなしている。したがって、基部同士間に間隔を設けずに重ね合わせるような場合と比較して、上記Ｕ字状部分を形成するための曲げ加工が容易であり、レセプタクル側端子７０の量産性を高めることができる。また、基部７１Ａ−１，７１Ｂ−１同士間に間隔を形成しても、図７（Ａ）に見られるように、該基部７１Ａ−１，７１Ｂ−１の位置での端子幅寸法は、連結部７３の端子幅寸法の範囲内に収まっており、レセプタクル側端子７０の端子幅方向での大型化に繋がることはない。
【００７１】
レセプタクル側第二端子８０は、図７（Ｂ）によく見られるように、前後方向に延びる後述の短腕部８１Ａと長腕部８１Ｂの二つから成る腕部８１と、該腕部８１よりも下方位置で上記前後方向に延びる接続部８２と、端子幅方向に見て、図２（Ａ）に示されるような略横Ｊ字形状をなすように屈曲され腕部８１の前端と接続部８２の前端とを連結する連結部８３とを有している。例えば図３（Ｂ）に見られるように、レセプタクル側第二端子８０は、端子幅方向に見たとき、端子全体として、後方へ向けて開口する横Ｕ字形状をなしている。
【００７２】
腕部８１は、レセプタクル側第一端子７０の腕部７１と同様に、端子幅方向で互いに対面する板面をもって互いに分離して前後方向に延びる短腕部８１Ａと長腕部８１Ｂとを有している。図７（Ｂ）を図７（Ａ）と比較すると判るように、レセプタクル側第二端子８０の短腕部８１Ａと長腕部８１Ｂとの端子幅方向での相対位置関係は、レセプタクル側第一端子７０の短腕部７１Ａと長腕部７１Ｂとの端子幅方向での相対位置関係と逆になっている。以下、短腕部８１Ａおよび長腕部８１Ｂを総称して「腕部８１Ａ，８１Ｂ」という。
【００７３】
腕部８１Ａ，８１Ｂは、レセプタクル側第一端子７０の腕部７１Ａ，７１Ｂと同様に、基部８１Ａ−１，８１Ｂ−１、移行部８１Ａ−２，８１Ｂ−２、弾性腕部８１Ａ−３，８１Ｂ−３を有している。基部８１Ａ−１，８１Ｂ−１そして移行部８１Ａ−２，８１Ｂ−２は、レセプタクル側第一端子７０の基部７１Ａ−１，７１Ｂ−１そして移行部７１Ａ−２，７１Ｂ−２はと同様の形状をなしている。
【００７４】
また、図７（Ｂ）に見られるように、弾性腕部８１Ａ−３，８１Ｂ−３は、レセプタクル側第一端子７０の弾性腕部７１Ａ−３，７１Ｂ−３を上下反転させたような形状をなしている（図３（Ｂ）参照）。したがって、弾性腕部８１Ａ−３，８１Ｂ−３の接触部８１Ａ−３Ａ，８１Ｂ−３Ａは、下方へ向けて凸状に屈曲されており、板厚面である下側縁面で、ヘッダ側第二端子３０の接触部３１Ｃの上側板面に接圧をもって接触するようになっている。
【００７５】
接続部８２は、図２（Ａ）に見られるように、レセプタクル側ハウジング６０の後端側に位置している。該接続部８２は、該レセプタクル側ハウジング６０の底面に沿うように後方へ延びており、回路基板の対応回路部（図示せず）に半田接続可能となっている。
【００７６】
連結部８３は、図２（Ａ）に示されているように、端子幅方向から見て略横Ｊ字形状をなすように板厚方向に屈曲されており、上下方向にて腕部８１Ａ，８１Ｂの基部８１Ａ−１，８１Ｂ−１の下縁と同位置で前後方向に延びる上横部８３Ａと、該上横部８３Ａの前端で直角に屈曲されて下方へ向けて延びる縦部８３Ｂと、該縦部８３Ｂの下端で直角に屈曲されて後方へ向けて延びる下横部８３Ｃとを有している。
【００７７】
上横部８３Ａは、図２（Ａ）に見られるように、レセプタクル側第二端子８０の前端側に位置しており、縦部８３Ｂおよび下横部８３Ｃよりも幅寸法が小さく形成されている。また、上横部８３Ａの両側縁には、腕部８１Ａ，８１Ｂの基部８１Ａ−１，８１Ｂ−１の前半部の下縁がそれぞれ連結されていて、前方から見たときに、該基部８１Ａ−１，８１Ｂ−１の前半部と上横部８３ＡとでＵ字状をなしている。換言すると、短腕部８１Ａと長腕部８１Ｂとは上横部８３Ａを介して互いに連結されている。下横部８３Ｃは、後端がレセプタクル側ハウジング６０の後端まで延びている。該下横部８３Ｃの後端は、下方へ向けて屈曲されてレセプタクル側ハウジング６０外へ延出し、接続部８２に連結されている。
【００７８】
レセプタクル側端子７０，８０は、次の要領でレセプタクル側ハウジン６０に取り付けられる。まず、レセプタクル側第二端子８０の腕部８１をレセプタクル側ハウジング６０のレセプタクル側第二腕収容部６７Ｂ内へ前方から圧入する（図３（Ｂ）の矢印）。この結果、レセプタクル側第二端子８０の基部８１Ａ−１，８１Ｂ−１の被保持突部８１Ａ−１Ａ，８１Ｂ−１Ａが、レセプタクル側第二腕収容部６７Ｂの側方凹部６７Ｂ−２Ａの上側内壁面（上下方向に対して直角な内壁面）に喰い込んで、図２（Ａ）に見られるように、レセプタクル側第二端子８０がレセプタクル側ハウジング６０に保持される（図３（Ｃ）をも参照）。
【００７９】
このように、レセプタクル側第二端子８０が保持された状態においては、腕部８１の基部８１Ａ−１，８１Ｂ−１そして移行部８１Ａ−２，８１Ｂ−２はレセプタクル側第二腕収容部６７Ｂの孔部６７Ｂ−２内に、弾性腕部８１Ａ−３，８１Ｂ−３はレセプタクル側第二腕収容部６７Ｂの溝部６７Ｂ−１内に収容された状態となる（長腕部８１Ｂについて、図２（Ａ）参照）。このとき、基部８１Ａ−１，８１Ｂ−１は側方凹部６７Ｂ−２Ａ内に位置している。また、弾性腕部８１Ａ−３，８１Ｂ−３の接触部８１Ａ−３Ａ，８１Ｂ−３Ａは、溝部６７Ｂ−１から下方へ突出してレセプタクル側受入部６６内に位置しており、ヘッダ側第二端子３０の接触部３１Ｃの上面と弾性的に接触可能となっている（弾性腕部８１Ｂ−３について、図２（Ａ）参照）。また、連結部８３は、レセプタクル側ハウジング６０の下壁６２の溝部６２Ａ（図３（Ｂ）参照）に収容される。
【００８０】
次に、レセプタクル側第一端子７０の腕部７１をレセプタクル側ハウジン６０のレセプタクル側第一腕収容部６７Ａ内へ前方から圧入する。具体的には、レセプタクル側第一腕収容部６７Ａの側方凹部６７Ａ−２Ａの上側内壁面および下壁内壁面（上下方向に対して直角をなし互いに対向する面）の間に、レセプタクル側第一端子７０の基部７１Ａ−１，７１Ｂ−１の後半部（連結部７３の横部７３Ａに連結されていない部分）が圧入される。このとき、基部７１Ａ−１，７１Ｂ−１の被保持突部７１Ａ−１Ａ，７１Ｂ−１Ａが、側方凹部６７Ｂ−２Ａの上側内壁面（上下方向に対して直角な内壁面）に喰い込んで（図３（Ｃ）の破線参照）、図２（Ａ）に見られるように、レセプタクル側第一端子７０がレセプタクル側ハウジング６０に保持される。
【００８１】
図３（Ｂ），（Ｃ）に見られるように、レセプタクル側第一腕収容部６７Ａの孔部６７Ａ−２は、側方凹部６７Ａ−２よりも上方向そして下方向に大きく形成されている。つまり、孔部６７Ａ−２は、図３（Ｃ）に見られるように、側方凹部６７Ａ−２よりも上方に位置する上側空間６７Ａ−２Ｃそして下方に位置する下側空間６７Ａ−２Ｄ（図３（Ｃ）にて破線で図示）を有している。レセプタクル側第一端子７０の腕部７１Ａ，７１Ｂの圧入過程では、該腕部７１Ａ，７１Ｂの接触部７１Ａ−３Ａ，７１Ｂ−３Ａは上側空間６７Ａ−２Ｃを通過し、腕部７１Ａ，７１Ｂの後端は下側空間６７Ａ−２Ｄを通過する。つまり、上記圧入過程において、腕部７１Ａ，７１Ｂが孔部６７Ａ−２の内壁面に干渉することがないので、誘いのために腕部７１Ａ，７１Ｂの後端側部分（接触部７１Ａ−３Ａ，７１Ｂ−３Ａから上記後端にまでわたる部分）を上下方向で大きく形成しても、該腕部７１Ａ，７１Ｂの損傷を確実に防止することができる。
【００８２】
腕部７１の基部７１Ａ−１，７１Ｂ−１そして移行部７１Ａ−２，７１Ｂ−２はレセプタクル側第一腕収容部６７Ａの孔部６７Ａ−２内に、弾性腕部７１Ａ−３，７１Ｂ−３はレセプタクル側第一腕収容部６７Ａの溝部６７Ａ−１内に収容された状態となる（腕部７１Ａについて、図２（Ａ）参照）。このとき、図３（Ｃ）に見られるように、基部７１Ａ−１，７１Ｂ−１は側方凹部６７Ｂ−２Ａ内に収容されている。また、弾性腕部７１Ａ−３，７１Ｂ−３の接触部７１Ａ−３Ａ，７１Ｂ−３Ａは、溝部６７Ａ−１から上方へ突出してレセプタクル側受入部６６内に位置しており、ヘッダ側第一端子２０の接触部２１Ｃの下面と弾性的に接触可能となっている（弾性腕部７１Ａ−３について、図２（Ａ）参照）。また、連結部７３の縦部７３Ｂの上部が、レセプタクル側ハウジング６０の中央壁部６９の溝部６９Ａ（図３（Ｂ）参照）に収容される。
【００８３】
上述したように、レセプタクル側第一端子７０の圧入はレセプタクル側第二端子８０の圧入の後に行われるので、レセプタクル側第一端子７０の圧入過程にて、該レセプタクル側第一端子７０の連結部７３がレセプタクル側第二端子８０の連結部８３に干渉することはない。
【００８４】
固定金具９０，１００は、金属板部材を打ち抜いて作られている。外側固定金具９０，１００は、それぞれレセプタクル側ハウジング６０の固定金具保持溝６３Ａ，６０Ａ内へ前方から圧入されて保持される被保持部（図示せず）と、該被保持部から下方へ延びて固定金具保持溝６３Ａ，６０Ａ外に下方へ延出し回路基板に固定される脚状の固定部とを有している。図３（Ｂ）に見られるように、外側固定金具９０は二つの固定部９１，９２を有し、内側固定金具１００は一つの固定部１０１を有している。固定部９１，９２，１０１は、レセプタクルコネクタ２が回路基板上に配された状態で、該回路基板に貫通形成された固定孔部（図示せず）へ挿通され、該回路基板と半田接続されることにより、該回路基板に固定されるようになっている。
【００８５】
次に、ヘッダコネクタ１とレセプタクルコネクタ２との嵌合接続動作について説明する。まず、ヘッダコネクタ１およびレセプタクルコネクタ２をそれぞれ対応する回路基板（図示せず）の実装面に実装する。次に、これら二つの回路基板を、同一平面内で端縁同士が互いに対向するように配置して、図１（Ａ）および図２（Ａ）に見られるように、ヘッダコネクタ１の嵌合部１２とレセプタクルコネクタ２のレセプタクル側受入部６６とを上記実装面（図示せず）に対して平行な一方向である前後方向で対向させる（この時点での各端子の姿勢については、図８（Ａ）、図９（Ａ）、図１０（Ａ）も参照）。
【００８６】
次に、ヘッダコネクタ１を前方（図１（Ａ）および図２（Ａ）にて矢印Ａの方向）へ向けてレセプタクルコネクタ２に対して相対的に移動させて、該ヘッダコネクタ１の嵌合部１２をレセプタクルコネクタ２のレセプタクル側受入部６６内に嵌入させる。本実施形態では、嵌入に先立って、まず、レセプタクル側受入部６６を形成する内壁周面によって嵌合部１２のテーパ付案内突部１２Ａが案内されるので、嵌合部１２をレセプタクル側受入部６６内へ容易にもたらすことができる。また、嵌合部１２の嵌入と同時に、レセプタクルコネクタ２の突壁部６５がヘッダコネクタ１のヘッダ側受入部１９へ前方から嵌入する。
【００８７】
コネクタの嵌合接続過程では、ヘッダ側第一端子２０の接触部２１Ｃがその下面（板面）でレセプタクル側第一端子７０の接触部７１Ａ−３Ａ，７１Ｂ−３Ａに上方から押圧して、弾性腕部７１Ａ−３，７１Ｂ−３を下方へ弾性変位させる。本実施形態では、接触部７１Ｂ−３Ａが接触部７１Ａ−３Ａよりも後方に位置しているので（図７（Ａ）参照）、接触部７１Ｂ−３Ａが接触部７１Ａ−３Ａに先立って押圧される。
【００８８】
また、ヘッダ側第二端子３０の接触部３１Ｃがその上面（板面）でレセプタクル側第二端子８０の接触部８１Ａ−３Ａ，８１Ｂ−３Ａに下方から押圧接触して、弾性腕部８１Ａ−３，８１Ｂ−３を上方へ弾性変位させる。本実施形態では、接触部８１Ｂ−３Ａが接触部８１Ａ−３Ａよりも後方に位置しているので（図７（Ｂ）参照）、接触部８１Ｂ−３Ａが接触部８１Ａ−３Ａに先立って押圧される。
【００８９】
嵌合接続動作は、ヘッダコネクタ１の嵌合部１２の前端面がレセプタクル側受入部６６の奥壁部、すなわち端子保持壁部６４の後端面に当接し、また、レセプタクルコネクタ２の突壁部６５の後端面がヘッダ側受入部１９の奥壁部、すなわち中央壁部１４の前端面を含む面に当接して完了する（図２（Ｂ）参照）。この結果、図１（Ｂ）および図２（Ｂ）に見られるようなコネクタ嵌合状態となる。
【００９０】
コネクタ嵌合状態では、図２（Ｂ）、図８（Ｂ）、図９（Ｂ）、図１０（Ｂ）に見られるように、図２（Ｂ）レセプタクル側第一端子７０の弾性腕部７１Ａ−３，７１Ｂ−３が下方へ弾性変位した状態そしてレセプタクル側第二端子８０の弾性腕部８１Ａ−３，８１Ｂ−３が上方へ弾性変位した状態が維持される。この弾性変位の結果、レセプタクル側第一端子７０の接触部７１Ａ−３Ａ，７１Ｂ−３Ａがその板厚面でヘッダ側第一端子２０の接触部２１Ｃの下面（板面）に対して接圧をもって接触するとともに、レセプタクル側第二端子８０の接触部８１Ａ−３Ａ，８１Ｂ−３Ａがその板厚面でヘッダ側第二端子３０の接触部３１Ｃの上面（板面）に対して接圧をもって接触する。
【００９１】
また、コネクタ嵌合状態では、図１１（Ａ），（Ｂ）に見られるように、レセプタクル側第一端子７０の二つの弾性腕部７１Ａ−３，７１Ｂ−３は、端子幅方向（図１１（Ａ），（Ｂ）にて上下方向）でヘッダ側第一端子２０の接触部２１Ｃの範囲内に位置し、レセプタクル側第二端子８０の二つの弾性腕部８１Ａ−３，８１Ｂ−３は、端子幅方向でヘッダ側第二端子３０の接触部３１Ｃの範囲内に位置している。
【００９２】
本実施形態では、既述したように、レセプタクル側第一端子７０には二つの腕部７１Ａ，７１Ｂが設けられている。この二つの腕部７１Ａ，７１Ｂは、それぞれ独立して弾性変位することによりヘッダ側端子２０の接触部２１Ｃと接触するので、弾性変位しやすく、そして互いに拘束されることなく接触部２１Ｃとの接触信頼性を確保できる。
【００９３】
また、レセプタクル側第一端子７０の接触部７１Ａ−３Ａと接触部７１Ｂ−３Ａは、互いに前後方向で異なる位置に設けられている。このように接触部７１Ａ−３Ａ，７１Ｂ−３Ａが前後方向で互いに異なって位置することにより、コネクタ接続状態にて前後方向での一方の接触部の位置に異物が存在している場合であっても、他方の接触部がヘッダ側端子２０の接触部２１Ｃと接触することにより電気的な導通状態を確保できるので、接触信頼性が向上する。
【００９４】
本実施形態では、レセプタクル側第一端子７０の二つの腕部７１Ａ，７１Ｂは信号を伝送するための経路として機能する。既述したように、二つの腕部７１Ａ，７１Ｂは、板面同士が端子幅方向で近接しており、該二つの腕部７１Ａ，７１Ｂ全体の形状が、端子に一つの腕部を形成する場合と近い形状になっている。つまり、本実施形態では、信号の経路の形状を、端子に腕部が一つだけ形成されている場合における信号の経路に形状を近づけることができる。この結果、上記レセプタクル側第一端子７０におけるインピーダンス特性を向上させることができる。これは、特に、本実施形態のような高速信号伝送用のコネクタにおいて重要である。
【００９５】
また、二つの腕部７１Ａ，７１Ｂ同士を近づけることによりレセプタクル側第一端子７０の幅寸法を小さくできる。したがって、本実施形態のように端子が多数配列されていても、端子配列方向でのレセプタクルコネクタ２の大型化を回避できる。
【００９６】
レセプタクル側第二端子８０も互いに近接し合う二つの腕部が設けられている点では、レセプタクル側第一端子７０と同様である。したがって、レセプタクル側第二端子８０においても、レセプタクル側第一端子７０について既述した接触信頼性の確保そして向上に関する効果、インピーダンス特性の向上に関する効果、端子配列方向でのコネクタ小型化の効果が得られる。
【００９７】
本発明に係る電気コネクタに設けられるレセプタクル側端子は、図示しながら既述した実施形態で説明したレセプタクル側端子７０，８０の形態に限らず、種々の変形が可能である。以下、図１２（Ａ）〜（Ｃ）にもとづいて三つの変形例を説明する。ここでは、レセプタクル側第一端子の変形例として説明するが、これらの変形例はレセプタクル側第二端子にも適用可能である。図１２（Ａ）〜（Ｃ）の変形例において、レセプタクル側第一端子７０に対応する部分については、該レセプタクル側第一端子７０における符号に、それぞれ「１００」，「２００」，「３００」を加えた符号を付して図示する。
【００９８】
図１２（Ａ）に示される変形例に係るレセプタクル側第一端子１７０は、二つの腕部１７１Ａ，１７１Ｂが端子幅方向での端子の中央位置に対して互いに対称をなす形状で形成されている点を除き、既述した実施形態のレセプタクル側第一端子７０と同じである。この変形例では、図１２（Ａ）に見られるように、二つの腕部１７１Ａ，１７１Ｂは、同じ長さで作られており、一方の腕部１７１Ａの基部１７１Ａ−１、移行部１７１Ａ−２および弾性腕部１７１Ａ−３と他方の基部１７１Ｂ−１、移行部１７１Ｂ−２および弾性腕部１７１Ｂ−３とは、前後方向で同位置に設けられている。そして、図１２（Ａ）に見られるように、基部１７１Ａ−１，１７１Ｂ−１同士は端子幅方向で間隔をもって位置し、接触部１７１Ａ−３，１７１Ｂ−３同士は後方へ向かうにつれて互いに近づくように屈曲されており、弾性腕部１７１Ａ−３，１７１Ｂ−３同士は板面同士が近接している。このように、腕部１７１Ａ，１７１Ｂは、端子幅方向での端子中央位置に対して互いに対称をなしている。
【００９９】
かかる変形例では、上述したように二つの腕部１７１Ａ，１７１Ｂが前後方向で同位置に設けられている。したがって、弾性腕部１７１Ａ−３，１７１Ｂ−３の板面同士は、前後方向での全域にわたって近接している。この結果、弾性腕部７１Ａ−３，７１Ｂ−３同士が前後方向で若干ずれて位置している既述の実施形態と比較して、二つの腕部１７１Ａ，１７１Ｂ全体の形状を、端子に一つの腕部を形成する場合と近い形状にすることができる。したがって、例えば接触部に異物が付着しにくい環境下にあり、接触部同士を前後方向で異なって位置させる必要性が低いときには、図１２（Ａ）のレセプタクル側第一端子１７０を採用することにより、該レセプタクル側第一端子１７０におけるインピーダンス特性をさらに向上させることができる。
【０１００】
次に、図１２（Ｂ）にもとづいて、別の変形例に係るレセプタクル側第一端子２７０について説明する。レセプタクル側第一端子２７０は、金属板を打ち抜いて得られた一つの金属板部材を折り曲げて、腕部２７１Ａ，２７１Ｂの板面同士を近接させることによって作られている。この一つの金属板部材は、腕部２７１Ａ、連結部２７３そして接続部２７２がそれらの長手方向に連続して位置し、さらに腕部２７１Ａに並んでもう一つの腕部２７１Ｂがその基部２７１Ｂ−１で後述の折返部２７１Ｃを介して設けられ、一つの平坦面を形成している。そして、この金属板部材の腕部２７１Ｂを、腕部２７１Ａと平行して近接するように折返部２７１の位置で屈曲することにより、レセプタクル側第一端子２７０が作られる。
【０１０１】
このようにして作られたレセプタクル側第一端子２７０は、図１２（Ｂ）に見られるように、腕部２７１Ａ，２７１Ｂが板厚方向に屈曲されておらず、全域にわたって平坦面が維持されている。したがって、弾性腕部２７１Ａ−３，２７１Ｂ−３のみならず、基部２７１Ａ−１，２７１Ｂ−１そして移行部２７１Ａ−２，２７１Ｂ−２も板面同士が互いに近接して位置している。つまり、レセプタクル側第一端子２７０の腕部２７１Ａ，２７１Ｂは、その全域にわたって板面同士が近接している。
【０１０２】
また、連結部２７３およびこれに連続する接続部２７２は、その板面が端子幅方向に対して直角をなしており、連結部２７３の一端が腕部２７１Ａの基部２７１Ａ−１の前端縁（図１２（Ｂ）にて左上方に位置する端縁）に連結されている。つまり、腕部２７１Ａ、連結部２７３および接続部２７２は、同一の平坦面を板面として形成されている。また、腕部２７１Ｂは、連結部２７３と直接連結されてはおらず、基部２７１Ｂ−１の下端縁が後述の折返端部２７１Ｃを介して腕部２７１Ａの基部２７１Ａ−１の下端縁に連結されている。
【０１０３】
上述したように、レセプタクル側第一端子２７０の腕部２７１Ａ，２７１Ｂは、その全域にわたって板面同士が近接している。したがって、基部１７１Ａ−１，１７１Ｂ−１の板面同士間そして移行部１７１Ａ−２，１７１Ｂ−２の板面同士間に間隔が形成されている図１２（Ａ）の変形例と比較して、図１２（Ｂ）の変形例では、二つの腕部２７１Ａ，２７１Ｂ全体の形状を、端子に一つの腕部を形成する場合と近い形状にすることができる。この結果、レセプタクル側第一端子２７０におけるインピーダンス特性をさらに向上させることができる。
【０１０４】
また、レセプタクル側第一端子２７０の端子幅寸法は、互いに重ね合わせられた腕部２７１Ａ，２７１Ｂの領域で最大となっており、その寸法は金属板二枚分の板厚寸法である。したがって、レセプタクル側第一端子２７０は、帯板状部分を板厚方向に屈曲して形成された連結部１７３を有する図１２（Ａ）のレセプタクル側第一端子１７０よりも、小さい端子幅寸法で作ることができる。この結果、図１２（Ｂ）の変形例では、レセプタクル側第一端子２７０が多数配列されても、端子配列方向でのレセプタクルコネクタの大型化を回避できる。
【０１０５】
図１２（Ｃ）に示されるさらに別の変形例に係るレセプタクル側第一端子３７０は、腕部３７１Ａ，３７１Ｂ同士がそれらの前端縁の折返端部３７１Ｃで連結されている点、そして連結部３７３の一端が腕部３７１Ａの基部２７１Ａ−１の下端に連結されている点で、図１２（Ｂ）に示されるレセプタクル側第一端子２７０と異なっている。このような形状のレセプタクル側第一端子３７０によっても、既述したレセプタクル側第一端子２７０と同様に、インピーダンス特性の向上させることができ、また、端子配列方向でのレセプタクルコネクタの大型化を回避することができる。
【０１０６】
既述した実施形態では、相手接続体が電気コネクタ（ヘッダコネクタ）である例について説明したが、相手接続体の形態はこれに限られず、例えば、平型導体（ケーブル）であってもよい。平型導体である場合には、該平型導体に設けられた回路部において、レセプタクル側端子の各接触部に接触する部分が対応接触部となる。
【０１０７】
以上のような構成のヘッダコネクタとレセプタクルコネクタとを接続して高速信号伝送に好適な例について、ヘッダコネクタの使用要領を中心として以下に説明する。なお、両コネクタの実施形態についての既述の説明では、レセプタクルコネクタに対して、ヘッダコネクタを相手方とされていたが、以下ではヘッダコネクタについて説明するので、レセプタクルコネクタが相手方となる。
【０１０８】
図１に示されたヘッダコネクタ１は、同図のような姿勢で回路基板（図１には図示せず）に配置され、該ヘッダコネクタ１の複数のヘッダ側端子（以下「端子」という）２０，３０の接続部２２，３２が、図１３に見られるような該回路基板Ｐの対応回路部のパッドＱに接続される。図１３は、複数の端子２０，３０のうちの一部について、ハウジングの後端から突出する部分を拡大して示している。
【０１０９】
上記ヘッダコネクタ１の複数の端子２０，３０のうち、連続して隣接する四つの組端子２０−１と３０−２，２０−３と３０−４，２０−５と３０−６，２０−７と３０−８で一つの端子群を形成している。例えば、図１３において、四つの組端子のうち隣接する二つの組端子の上段に位置するヘッダ側第一端子（以下「第一端子」という、第二端子も同様）同士が信号端子として差動ペアを形成し、同じく上段に位置して上記第一端子２０−１，２０−３に隣接する他の二つの第一端子２０−５，２０−７がグランド端子として用いられている。差動ペアを形成する上記第一端子２０−１，２０−３は上段に位置していて、それらの下方には対応して下段をなす第二端子３０−２，３０−４がグランド端子として位置している。上段の第一端子２０−１と下段の第二端子３０−２は一つの組端子を形成し、横方向でこれらに隣接する第一端子２０−３と第二端子３０−４が他の組端子を形成する。差動ペアを形成する上記第一端子２０−１，２０−３に隣接してグランド端子と使用される他の第一端子２０−５，２０−７の下方にはそれらに対応して下段の第二端子３０−６，３０−８が信号端子として位置している。これらの第二端子３０−６，３０−８も互いに差動ペアをなしている。
【０１１０】
上述した各端子の位置関係、そして回路基板の対応回路部をなすパッドとの位置関係を、模式的に示す図１４をも参照しつつ、以下説明する。なお、図１４において端子に付されたＳ，Ｇの記号は信号端子、グランド端子として使用されていることをそれぞれ示している。
【０１１１】
上段で差動ペアをなしている第一端子２０−１，２０−３の接続部２２−１，２２−３が端子幅方向で互いに近寄るように偏倚しているので、回路基板Ｐ上で、近接している二つの信号パッドＱ１，Ｑ３にそれぞれ半田接続されている。これに対し、組端子を形成するように下段で対応してグランド端子として位置する第二端子３０−２，３０−４の接続部３２−３，３２−４は、端子幅方向で離反方向に偏倚していて、回路基板Ｐ上では、差動ペアをなす信号端子としての上記第一端子２０−１，２０−３の接続部２２−１，２２−３と同列位置で、これらの接続部２２−１，２２−３の両外側にそれぞれ位置していて、対応するグランドパッドＱ２，Ｑ４に半田接続されている。
【０１１２】
一方、上段で信号端子とされた上記第一端子２０−１，２０−３に隣接するグランド端子としての第一端子２０−５，２０−７の接続部２２−５，２２−７は端子幅方向で互いに近寄るように偏倚しているので、回路基板Ｐ上では、若干幅広な一つの共通なパッドＱ５７に半田接続されている。これらのグランド端子としての第一端子２０−５，２０−７と組端子を形成するように下段で対応して信号端子として位置し差動ペアを形成する第二端子３０−６，３０−８の接続部３２−６，３２−８は、端子幅方向で離反方向に偏倚しているので、回路基板Ｐ上で、グランド端子としての上記第一端子２０−５，２０−７の接続部２２−５，２２−７と同列位置で、これらの接続部２２−５，２２−７の両外側にそれぞれ位置していて、対応する信号パッドＱ６，Ｑ８に半田接続される。
【０１１３】
このようにして、上記ヘッダコネクタ１が高速信号伝送用に用いられると、図１４からも良く判るように、上段に位置する第一端子２０−１と２０−３の差動ペアは接続部２２−１，２２−３がパッドＱ１，Ｑ３上で互いに近接して位置し、かつ、隣接する第二端子３０−６，３０−８による次の差動ペアの接続部との間に、パッドＱ４に半田接続されグランド端子としての第二端子３０−４の接続部３２−４が存在することとなり、高速信号伝送に好適となる。
【０１１４】
一方、下段に位置する第二端子３０−６と３０−８による差動ペアについては、図１４では両端子３０−６と３０−８の接続部３２−６と３２−８が半田接続されているパッドＱ６とＱ８の間にグランド用のパッドＱ５７（そしてこれに半田接続されているグランド用の第一端子２０−５，２０−７の接続部２２−５と２２−７）が存在しているが、図１３に見られるごとく、パッドＱ５７を島状として後方へは延ばさずに、信号端子としての上記第二端子３０−６と３０−８のためのパッドＱ６とＱ８から回路ラインを上記パッドＱ５７の後方で近接するように屈曲して引き延ばすことで、高速信号伝送に好適な形態とすることが可能となる。
【０１１５】
このようにして、四つの組端子を一群として使用し、端子が多数設けられるときは、この一群を繰り返して形成して多群にしたヘッダコネクタ１を得る。なお、レセプタクル電気コネクタ２は、ヘッダコネクタ１の信号端子そしてグランド端子と接触接続する端子がそれぞれ信号端子そしてグランド端子として使用されることとなる。
【０１１６】
次に、上述の本実施形態のヘッダコネクタの高速信号伝送用の使い方に対し、従来技術として既述した特許文献１のコネクタが同様に使用できるかを、本実施形態の説明に用いられた図１４と同様な形式で模式的に示す図１５を参照しつつ検討する。
【０１１７】
特許文献１のコネクタは、接触部が上段に位置している端子（以下、第一端子という）と下段に位置している端子（以下、第二端子という）の二種を有している。回路基板に半田接続される接続部は、すべての第一端子で右方へそしてすべての第二端子で左方へそれぞれ偏倚していて、上下で対応する第一端子と第二端子が組端子をなしている。これを図示すると、図１５（Ａ）そして図１５（Ｂ）のようになる。
【０１１８】
このような端子形状そして配列がなされている特許文献１のコネクタを高速信号伝送のために、横方向に隣接して接触部同士が同一平面内にある二つの端子で差動ペアを形成しようとすると、図１５（Ａ）のように第一のペア端子２０Ａ１，２０Ａ２と第二のペア端子２０Ｂ１，２０Ｂ２の接続部同士間でグランド端子（あるいはパッド）が不在となるし、仮に図１５（Ｂ）のように二つの差動ペアの接続部同士間にグランド端子（あるいはパッド）を存在させようとすると、隣接する端子同士が上下する第一のペア端子２０Ａ１，２０Ａ２そして第二のペア端子２０Ｂ１，２０Ｂ２となってしまい、端子の接続部同士が同一平面になく、高速信号伝送に不向きになってしまう。
【符号の説明】
【０１１９】
２０（２０−１，２０−３）  （ヘッダ側）第一端子
２１Ｃ  接触部
２２（２２−１，２２−３）  接続部
３０（３０−２，３０−４）  （ヘッダ側）第二端子
３１Ｃ  接触部
３２（３２−２，３２−４）  接続部
【図１】
2014127421.tif 000003
【図２】
2014127421.tif 000004
【図３】
2014127421.tif 000005
【図４】
2014127421.tif 000006
【図５】
2014127421.tif 000007
【図６】
2014127421.tif 000008
【図７】
2014127421.tif 000009
【図８】
2014127421.tif 000010
【図９】
2014127421.tif 000011
【図１０】
2014127421.tif 000012
【図１１】
2014127421.tif 000013
【図１２】
2014127421.tif 000014
【図１３】
2014127421.tif 000015
【図１４】
2014127421.tif 000016
【図１５】
2014127421.tif 000017